(57)【要約】【課題】誰でも簡単に取扱え、使い勝手に優れ、構成簡素で、量産し易く、耐久性に優れ、製造容易で、経済的で、見開きの左右の区分最小ページが対応し、見易く、片手で保持でき、折り畳んだ小さいサイズのまま所望面を探し出せるアクセス機能に優れ、見開き状態で開いた所望面が安定し易く把持し易い保持機能に優れた折り畳み文書を提供する。【解決手段】原図Ａを、行方向格子線ｍと列方向格子線ｎによって、偶数個の行Ｍと任意数の列Ｎに分割し、所定の行方向格子線ｍは、上部より交互に谷折り１６・山折り１５とし、所定の列方向格子線ｎは、交互に可逆折り１７・スリット１８とし、最外側行上にある列方向格子線ｎに於いて、可逆折り１７の延長上にある列方向格子線ｎは谷折り１６とし、スリット１８の延長上にある列方向格子線ｎは山折り１５とし、複数の行方向谷折り１６を合わせるように綴じて形成する。【選択図】図１０
2006007610.tif 000002
【特許請求の範囲】
【請求項１】
折り畳み文書となる適宜原図を、直交する行方向格子線と列方向格子線によって、偶数個の帯状の横方向領域となる行に分割すると共に、任意数の帯状の縦方向領域となる列に分割して、複数の区分最小ページを形成し、行方向格子線は、輪郭線となる最外側の行方向格子線を除き、上部より交互に谷折り・山折りとし、列方向格子線は、輪郭線となる最外側の列方向格子線、及び最外側行上の列方向格子線を除き、交互に可逆折り・スリットとし、最外側行上にある列方向格子線に於いて、可逆折りの延長上にある列方向格子線は谷折りとすると共に、スリットの延長上にある列方向格子線は山折りとし、複数の行方向谷折りを合わせるように綴じて形成したことを特徴とする折り畳み文書。
【請求項２】
折り畳み文書となる適宜原図を、直交する行方向格子線と列方向格子線によって、任意数の帯状の横方向領域となる行に分割すると共に、偶数個の帯状の縦方向領域となる列に分割して、複数の区分最小ページを形成し、列方向格子線は、輪郭線となる最外側の列方向格子線を除き、左右より交互に谷折り・山折りとし、行方向格子線は、輪郭線となる最外側の行方向格子線、及び最外側列上の行方向格子線を除き、交互に可逆折り・スリットとし、最外側列上にある行方向格子線に於いて、可逆折りの延長上にある行方向格子線は谷折りとすると共に、スリットの延長上にある行方向格子線は山折りとし、複数の列方向谷折りを合わせるように綴じて形成したことを特徴とする折り畳み文書。
【請求項３】
最外側行上の列方向谷折り、或いは最外側列上の行方向谷折りを合わせるように綴じて形成したことを特徴とする請求項１または請求項２記載の折り畳み文書。
【請求項４】
最外側列上或いは最外側行上の原図の裏面に於いて、一対の表紙を、複数の行方向谷折り或いは列方向谷折りを合わせた折り丁の背を跨ぐように夫々固着したことを特徴とする請求項１または請求項２または請求項３記載の折り畳み文書。
【請求項５】
一対の表紙を、折目線で連設したことを特徴とする請求項４記載の折り畳み文書。
【請求項６】
前記可逆折りは、接近した山折り線と谷折り線、或いは接近した複数の山折り線と谷折り線、或いは接近した山折り線と複数の谷折り線で構成したことを特徴とする請求項１または請求項２または請求項３または請求項４または請求項５記載の折り畳み文書。
【請求項７】
前記可逆折りは、背合わせ状に重合している部分に於いて、一方をスリット線とし、他方を可逆折り線としたことを特徴とする請求項１または請求項２または請求項３または請求項４または請求項５記載の折り畳み文書。
【請求項８】
折り畳み文書となる適宜原図に、複数の行方向格子線を設けて、原図を帯状の横方向領域となる偶数個の行に分割し、更に、行方向格子線に直交する複数の列方向格子線を設けて、原図を帯状の縦方向領域となる任意数の列に分割し、行方向格子線は、輪郭線となる最外側の行方向格子線を除き、上部より交互に谷折り・山折りとして、原図を列方向で経文折りし、列方向格子線は、輪郭線となる最外側の列方向格子線及び最外側行上の列方向格子線を除き、交互に可逆折り・スリットとし、最外側行上にある列方向格子線に於いて、可逆折りの延長上にある列方向格子線を谷折りとし、スリットの延長上にある列方向格子線を山折りとして、原図を行方向で経文折りし、複数の行方向谷折りを合わせた折り丁の背を綴じて製造することを特徴とした折り畳み文書の製造方法。
【発明の詳細な説明】
【技術分野】
【０００１】
本発明は、二次元的な広がりのある比較的大きな文書類（例えば、地図、路線図、配線図、システム図、解説書、説明書、案内書、手引書、その他）を、携行、保存、或いは部分的参照等を目的として、小さいサイズに折り畳みでき、しかも、誰でも、簡単に取扱え、使い勝手に優れ、構成が簡素で、量産し易く、耐久性に優れ、その製造が容易となるように工夫した折り畳み文書及びその製造方法に関するものである。
【背景技術】
【０００２】
従来、この種の折り畳み文書としては種々のものが提供されており、例えば、本願発明者によって創出された特許文献１の折り畳み地図及び地図帖が既に開示されている。
これは、片面に全体マップが印刷された地図において、同全体マップを平行な複数の行方向格子及び列方向格子で区分されたマトリックス配置の多数の地域図に分割し、前記行方向格子及び列方向格子の一方を、谷折り、山折りが交互に繰り返される経文折り状態とし、この経文折り方向に対して直角な方向に隣り合った地域図相互間を分離するため前記行方向格子及び列方向格子の他方に分割スリットを形成し、これらの分割スリットから交互に谷折り、山折り状態として見開きページ群を構成し、前記分割スリットによる各地域図の独立状態を維持しつつ、谷折りされた前記分割スリットが集中する位置で複数の前記見開きページ群を綴じたものである。
すなわち、地図を縦方向の細長い多数のストリップに切断し、縦方向に畳み、更に、畳み込んだシートを、相互に固着して、縦方向のページを構成し、縦横両方向にページをめくるように構成されている。
特に、その見開き状態にあっては、左右のページが夫々上下２ページからなる計４ページで構成されており（特許文献１の図８）、上下へのアクセスは、夫々の方向にページをめくればよく、一方、左右へのアクセスは、通常の本と同じく左右にめくればよく、上下左右への自由なアクセスが可能となるよう構成されている。
【０００３】
【特許文献１】特開平１０−３２４０７８号公報（図７、図８）
【発明の開示】
【発明が解決しようとする課題】
【０００４】
ところが、前述の如き従来の折り畳み地図及び地図帖にあっては、その見開きの左右のページが分離していて、独立であるために、見開きの左右のページが必ずしも対応するものとならない難点があった。特に、地図等では不便であった。
【０００５】
しかも、見開き状態で左右のページが折りぐせ等によって起き上がるように揺動してしまい、片手で保持しただけでは見難い難点もあった。
【０００６】
加えて、この種の地図、路線図、配線図、システム図等の図や、解説書、説明書、案内書、手引書等の折り畳み文書にあっては、折り畳んだ小さいサイズのまま、所望面を探し出せる機能（アクセス機能）の優れたものが望ましく、また、この種の折り畳み文書（例えば、地図）を使用する際には、風の影響を受けたり、人込みの中で使用したり、片手がふさがっている状態で使用したりすることも多く、このような状況では、見開き状態で開いた所望面が安定し易く且つ把持し易い機能（保持機能）の優れたものが望ましい等の達成しなければならない課題がある。
【課題を解決するための手段】
【０００７】
しかして、本発明は、前述の如き難点等を解消すると共に、誰でも、簡単に取扱え、使い勝手に優れ、構成が簡素で、量産し易く、耐久性に優れ、その製造が容易となるようにすべく創出されたものである。
そこで、請求項１記載の折り畳み文書にあっては、折り畳み文書となる適宜原図Ａを、直交する行方向格子線ｍと列方向格子線ｎによって、偶数個の帯状の横方向領域となる行Ｍに分割すると共に、任意数の帯状の縦方向領域となる列Ｎに分割して、複数の区分最小ページ１０を形成し、行方向格子線ｍは、輪郭線となる最外側の行方向格子線m0、m6を除き、上部より交互に谷折り１６・山折り１５とし、列方向格子線ｎは、輪郭線となる最外側の列方向格子線n0、n6及び最外側行上の列方向格子線n1〜n5を除き、交互に可逆折り１７・スリット１８とし、最外側行上にある列方向格子線ｎに於いて、可逆折り１７の延長上にある列方向格子線ｎは谷折り１６とすると共に、スリット１８の延長上にある列方向格子線ｎは山折り１５とし、複数の行方向谷折り１６を合わせるように綴じて形成する手段を採用した。
【０００８】
また、請求項２記載の折り畳み文書にあっては、折り畳み文書となる適宜原図Ａを、直交する行方向格子線ｍと列方向格子線ｎによって、任意数の帯状の横方向領域となる行Ｍに分割すると共に、偶数個の帯状の縦方向領域となる列Ｎに分割して、複数の区分最小ページ１０を形成し、列方向格子線ｎは、輪郭線となる最外側の列方向格子線n0、n6を除き、左右より交互に谷折り１６・山折り１５とし、行方向格子線ｍは、輪郭線となる最外側の行方向格子線m0、m6及び最外側列上の行方向格子線m1〜m5を除き、交互に可逆折り１７・スリット１８とし、最外側列上にある行方向格子線ｍに於いて、可逆折り１７の延長上にある行方向格子線ｍは谷折り１６とすると共に、スリット１８の延長上にある行方向格子線ｍは山折り１５とし、複数の列方向谷折り１６を合わせるように綴じて形成する手段を採用した。
【０００９】
更に、請求項３記載の折り畳み文書にあっては、最外側行上の列方向谷折り１６、或いは最外側列上の行方向谷折り１６を合わせるように綴じて形成する手段を採用した。
【００１０】
そして、請求項４記載の折り畳み文書にあっては、最外側列上或いは最外側行上の原図Ａの裏面に於いて、一対の表紙１２を、複数の行方向谷折り１６或いは列方向谷折り１６を合わせた折り丁の背を跨ぐように夫々固着する手段を採用した。
【００１１】
それから、請求項５記載の折り畳み文書にあっては、一対の表紙１２を、折目線で連設する手段を採用した。
【００１２】
加えて、請求項６記載の折り畳み文書にあっては、前記可逆折り１７は、接近した山折り線１５ａと谷折り線１６ａ、或いは接近した複数の山折り線１５ａと谷折り線１６ａ、或いは接近した山折り線１５ａと複数の谷折り線１６ａで構成する手段を採用した。
【００１３】
しかも、請求項７記載の折り畳み文書にあっては、前記可逆折り１７は、背合わせ状に重合している部分に於いて、一方をスリット線１８ａとし、他方を可逆折り線１７ａとする手段を採用した。
【００１４】
次に、請求項８記載の折り畳み文書の製造方法にあっては、折り畳み文書となる適宜原図Ａに、複数の行方向格子線ｍを設けて、原図Ａを帯状の横方向領域となる偶数個の行Ｍに分割し、更に、行方向格子線ｍに直交する複数の列方向格子線ｎを設けて、原図Ａを帯状の縦方向領域となる任意数の列Ｎに分割し、行方向格子線ｍは、輪郭線となる最外側の行方向格子線m0、m6を除き、上部より交互に谷折り１６・山折り１５として、原図Ａを列方向で経文折りし、列方向格子線ｎは、輪郭線となる最外側の列方向格子線n0、n6及び最外側行上の列方向格子線n1〜n5を除き、交互に可逆折り１７・スリット１８とし、最外側行上にある列方向格子線ｎに於いて、可逆折り１７の延長上にある列方向格子線ｎを谷折り１６とし、スリット１８の延長上にある列方向格子線ｎを山折り１５として、原図Ａを行方向で経文折りし、複数の行方向谷折り１６を合わせた折り丁の背を綴じて製造する手段を採用した。
【発明の効果】
【００１５】
従って、本発明の請求項１記載の折り畳み文書によれば、二次元的な広がりのある比較的大きな文書類（例えば、地図、路線図、配線図、システム図、解説書、説明書、案内書、手引書、その他）を、携行、保存、或いは部分的参照等を目的として、小さいサイズに折り畳みできるようになる。しかも、誰でも、簡単に取扱え、使い勝手に優れ、更に、構成が簡素で、量産し易く、耐久性に優れ、その製造が容易となり、経済的な折り畳み文書となる。
【００１６】
特に、その見開き状態に於ける左右の区分最小ページ１０が可逆折り１７（或いは谷折り１６）で連設されていると共に、上下の区分最小ページ１０が谷折り１６で連設されており、見開きの上下左右の区分最小ページ１０が必ず対応するものとなり、見易いものとなる。
しかも、見開き状態で左右の区分最小ページ１０が折りぐせ等によって起き上がるように揺動することがなく、片手で保持しただけでも見易いものとなる。
すなわち、本発明の折り畳み文書にあっては、折り畳んだ小さいサイズのまま、所望面を探し出せる機能（アクセス機能）が優れ、風の影響を受け難く、人込みの中で使用したり、片手がふさがっている状態で使用しても、見開き状態で開いた所望面が安定し易く且つ把持し易い機能（保持機能）が優れたものとなる。
【００１７】
また、本発明の請求項２記載の折り畳み文書によれば、二次元的な広がりのある比較的大きな文書類（例えば、地図、路線図、配線図、システム図、解説書、説明書、案内書、手引書、その他）を、携行、保存、或いは部分的参照等を目的として、小さいサイズに折り畳みできるようになる。しかも、誰でも、簡単に取扱え、使い勝手に優れ、更に、構成が簡素で、量産し易く、耐久性に優れ、その製造が容易となり、経済的な折り畳み文書となる。
【００１８】
特に、その見開き状態に於ける上下の区分最小ページ１０が可逆折り１７（或いは谷折り１６）で連設されていると共に、左右の区分最小ページ１０が谷折り１６で連設されており、見開きの上下左右の区分最小ページ１０が必ず対応するものとなり、見易いものとなる。
しかも、見開き状態で上下の区分最小ページ１０が折りぐせ等によって起き上がるように揺動することがなく、片手で保持しただけでも見易いものとなる。
すなわち、本発明の折り畳み文書にあっては、折り畳んだ小さいサイズのまま、所望面を探し出せる機能（アクセス機能）が優れ、風の影響を受け難く、人込みの中で使用したり、片手がふさがっている状態で使用しても、見開き状態で開いた所望面が安定し易く且つ把持し易い機能（保持機能）が優れたものとなる。
【００１９】
更に、本発明の請求項３記載の折り畳み文書によれば、折り畳み文書自体が冊子状となり、全体の強度や耐久性が高められるようになると共に、より取扱い易く、より使い勝手の優れたものとなる。
【００２０】
そして、本発明の請求項４記載の折り畳み文書によれば、一対の表紙１２によって、折り畳み文書自体の外観上の体裁が良くなると共に、全体の強度や耐久性が高められるようになり、より取扱い易いものとなる。
【００２１】
それから、本発明の請求項５記載の折り畳み文書によれば、折目線で連設された一対の表紙１２によって、折り畳み文書自体の外観上の体裁が良くなると共に、全体の強度や耐久性が高められるようになり、より取扱い易く、より使い勝手の優れたものとなる。
【００２２】
加えて、本発明の請求項６記載の折り畳み文書によれば、可逆折り１７部分がよりスムーズに折曲げられるようになり、可逆折り１７を介して連設されている一対の区分最小ページ１０がよりめくり易いものとなる。すなわち、より快適なアクセス機能と、より安定した保持機能とが得られるようになる。
【００２３】
しかも、本発明の請求項７記載の折り畳み文書によれば、可逆折り１７部分がよりスムーズに折曲げられるようになり、可逆折り１７を介して連設されている一対の区分最小ページ１０がよりめくり易いものとなる。すなわち、より快適なアクセス機能と、より安定した保持機能とが得られるようになる。
【００２４】
次に、本発明の請求項８記載の折り畳み文書の製造方法によれば、二次元的な広がりのある比較的大きな文書類（例えば、地図、路線図、配線図、システム図、解説書、説明書、案内書、手引書、その他）を、携行、保存、或いは部分的参照等を目的として、小さいサイズに簡単に且つ確実に折り畳みできるようになる。しかも、アクセス機能や保持機能に優れた折り畳み文書を、容易に製造でき、量産に適し、能率的で、経済的な製造方法となる。
【発明を実施するための最良の形態】
【００２５】
以下、本発明を図示例に基づいて説明する。
本発明は、二次元的な広がりのある比較的大きな文書類（例えば、地図、路線図、配線図、システム図、解説書、説明書、案内書、手引書、その他）を、小さいサイズに折り畳みでき、しかも、折り畳んだ小さいサイズのまま、所望面を簡単に探し出せ、見開き状態で開いた所望面が安定して、把持し易くなるように形成した折り畳み文書と、この折り畳み文書の製造方法である。
尚、図１乃至図１２は、一つの実施例を示したもので、図１３は、一部構成に於ける他の態様を示し、図１４は他の実施例を示したものである。
【実施例１】
【００２６】
以下、本発明の折り畳み文書の第１実施例を図１から図１２について説明する。
先ず、図１に於いてＡは本発明の折り畳み文書の原図で、この原図Ａは、縦横に三つに等分割された３×３＝９の見開きで構成されており、更に、夫々の見開きを縦横に二つに等分割して、６×６＝３６個の区分最小ページ１０を直交格子状に配列したものである。
すなわち、原図Ａの表面について、これを行方向格子線ｍ（m0〜m6）群と列方向格子線ｎ（n0〜n6）群よりなる直交格子状に区分し、区分された最小単位が区分最小ページ１０となっている。しかも、行方向格子線m0、m6と、列方向格子線n0、n6は、原図Ａの周縁（輪郭線）となっている。
尚、隣接する二本の行方向格子線ｍ（m0〜m6）の間の帯状領域を行Ｍ（M1〜M6）とし、隣接する二本の列方向格子線ｎ（n0〜n6）の間の帯状領域を列Ｎ（N1〜N6）とする。
【００２７】
そして、任意の区分最小ページ１０は行と列で表現する。例えば、（３、２）は、上から３番目の行M3で、左から２番目の列N2にあるページとする。これに従えば、左上隅の区分最小ページ１０は（１、１）であり、右下隅の区分最小ページ１０は（６、６）となる。
【００２８】
また、見開きは、上下左右で連設する４つの区分最小ページ１０で構成されるものとなり、例えば、中央の見開きは、（３、３）、（３、４）、（４、３）、（４、４）の４つの区分最小ページ１０で構成される。
【００２９】
更に、折り畳み文書となる原図Ａには、その行方向格子線ｍや列方向格子線ｎに沿って施される山折り１５や、谷折り１６や、可逆折り１７や、スリット１８が施され、可逆折り１７は、山折りと谷折りが可逆的となる折りで、スリット１８は、物理的に切れ目を入れたものである。しかも、これらは、図２に示すように、山折り１５は実線、谷折り１６は破線、可逆折り１７は一点破線、スリット１８は二重線で表現されている。
【００３０】
図３は、図１の行方向格子線ｍや列方向格子線ｎについて加工されるべき、山折り１５、谷折り１６、可逆折り１７、スリット１８の区別とその位置が示されたものである。尚、例えば、山折り１５にあっては、その箇所が既に凸状に形成されているのではなく、それが準備されている状態を示すものである。
そして、行方向では、m1、m3、m5が谷折り１６で、m2、m4が山折り１５となり、交互に配されている。
また、列方向では、最上部の行M1と最下部の行M6上を除き、n1、n3、n5は可逆折り１７で、n2、n4はスリット１８となり、交互に配されている。
更に、最上部の行M1と最下部の行M6上では、n1、n3、n5は谷折り１６で、n2、n4は山折り１５となり、交互に配されている。
要するに、列方向では、可逆折り１７の延長上の最上部最下部の行M1、M6は谷折り１６で、スリット１８の延長上の最上部最下部の行M1、M6は山折り１５となる。
【００３１】
そして、図４から図１０によって、図１の原図Ａが折り畳み文書に変形してゆく過程を説明する。
先ず、m1からm5までの行方向格子線ｍを山折り１５、谷折り１６して、原図Ａを上下方向に蛇腹状に折り進む。このとき、行M1と行M6は、最初の平面状態を保つもの（同一の平面内に含まれた状態）として、図面では表示されているが、必ずしもそうでなくても良い。
そして、図５に示すように、更に、折り進み、図６に示すように、上下方向の折り畳みを完全に終了する。
このとき、すべての谷折り１６となる行方向格子線m1、m3、m5が一個所に集中し、これを裏面から見れば折り丁の背を形成しているようになる。すなわち、全ての区分最小ページ１０を、結合できる場所となっている。
しかも、この折り丁の背は、例えば、糊１１等を介して綴じるようにする。
【００３２】
この後、図７に示すように、密接する行M2と行M3を、行M1に接近するように揺動させると共に、密接する行M4と行M5を、行M6に接近するように揺動させ、図８に示すように、密接する行M2と行M3が、行M1に重なるようにすると共に、密接する行M4と行M5が、行M6に重なるようにした平面状態とする。
【００３３】
ところで、図８に於いて、列方向の列方向格子線n1、n3、n5に注目すると、一番下となる行M1と行M6上の折り目は谷折り１６で、その上の行M2から行M5までは、可逆折り１７となり、一体に重なり合うと、可逆折り１７部分は谷折り１６に順応するようになる。
また、列方向の列方向格子線n2、n4に注目すると、一番下となる行M1と行M6上の折り目は山折り１５で、その上の行M2から行M5までは、スリット１８となり、一体に重なり合うと、スリット１８部分は山折り１５に順応するようになる。
従って、左右方向に交互に谷折り１６、山折り１５の並んだ経文折りが準備された状態となる。
【００３４】
次に、図９に示すように、行方向での経文折り状態として、その左右両端の部分夫々に一対の厚めのシート状の表紙１２を固着して、図１０に示すような折り畳み文書が完成する。
尚、この場合、一対の表紙１２を折目線で折曲自在に連設したような連続したシート状の表紙を用いて、通常の冊子のように構成することも可能である。
【００３５】
ところで、図１０に示す見開き部分は、図１を参照すると、３×３に区分した中央の領域に該当し、この見開きの構成は、通常の本の見開き左右２ページではなくて、上下にも分割された４つの区分最小ページ１０（３、３）、（３、４）、（４、３）、（４、４）であり、また、これらが１枚の連続したシート状となっている。すなわち、区分最小ページ１０（３、３）と（３、４）、（４、３）と（４、４）は、可逆折り１７で連設され、区分最小ページ１０（３、３）と（４、３）、（３、４）と（４、４）は、谷折り１６で連設されている。
そして、図１０で下側の２つの区分最小ページ１０（４、３）、（４、４）をめくると、地図でいえば南側の見開き（５、３）、（５、４）、（６、３）、（６、４）が現れるようになる。
同様に、上側の２つの区分最小ページ１０（３、３）、（３、４）をめくると、地図でいえば北側の見開き（１、３）、（１、４）、（２、３）、（２、４）が現れるようになる。
更に、左右（東西）の領域には、通常の冊子と同様に、その方向をめくればよい。ただし、そのとき元の見開きの左右に対応する見開きが現れるとは保証されず、その上下の見開きの場合がある．そのときは、上下にめくって、目的に到達することができる。
尚、この点は、上下方向についてページあるいはマークを付設することで対処可能となる。
すなわち、本発明の折り畳み文書は、現在参照の見開きから上下左右どちらにも連続してアクセスできるものとなる。
【００３６】
そして、本発明の折り畳み文書は、見開きが、通常の左右２ページでなくて、直交する十字の折り目で形成された一体構造の４つの区分最小ページ１０から構成されていることが、構造上の特徴となっており、これが保持機能を優れたものとしている。
すなわち、図１１に示すように、見開きに於ける列方向格子線ｎと行方向格子線ｍからなる十字の折り目を、縦方向がｐ、ｑ横方向がｒ、ｓとすると、横方向の折り目ｒ、ｓは、図６の行方向格子線ｍ3上にあり、上下６枚の区分最小ページ１０が結合されて、上下区分最小ページ１０の背を形成しているから、十分な剛性を備えている。
一方、縦方向の折り目ｐ、ｑは、列方向格子線ｎ3上の可逆折り１７が２枚重なった構造となり、十分な剛性を備えている。
【００３７】
以上のように、これらの折り目ｐ、ｑ、ｒ、ｓは、夫々が十分な剛性を備えているが、それらの相互作用によって、より安定な構造となっている。すなわち、この相互作用は、平板を縦横直交十字に分割して互いに４個の蝶番で結合した複合蝶番の性質と関係しており、この蝶番の回転は、縦横どちらかの組の等角の回転のみが可能で、他の組の回転は抑止される。そして、４個の蝶番が互いにリンクするこの原理は、折り畳みテーブルのトップ板の回転と固定に使われる特殊蝶番の例でよく知られている。
折り畳み文書に使う原図Ａの剛性はもちろん平板には及ばないが、上記の原理の本質は受け継いでいる。今、通常の使用の形態を考えるならば、手元の折り目ｑの近傍を、浅い折り角で把持するのが自然であり、折り目ｑは固定される。上記原理により、折り目ｐは折り目ｑと等しい折り角に拘束されるから、これも固定される。また、上記原理により、折り目ｒ，ｓの折り角は殆どゼロに拘束される。つまり、手元の部分の把持によって、その拘束はすべての折り目ｐ、ｑ、ｒ、ｓにまで及ぷのである。こうして、十字を構成する全ての折り目ｐ、ｑ、ｒ、ｓが固定されれば、夫々の二辺を折り目で保持された見開きの４つの区分最小ページ１０は夫々安定となり、優れた保持機能を発揮する。
【実施例２】
【００３８】
また、本発明の折り畳み文書の第２実施例を図１４について説明すると、折り畳み文書となる適宜原図Ａを、直交する行方向格子線ｍと列方向格子線ｎによって、任意数の帯状の横方向領域となる行Ｍに分割すると共に、偶数個の帯状の縦方向領域となる列Ｎに分割して、複数の区分最小ページ１０を形成する。
更に、列方向格子線ｎは、輪郭線となる最外側の列方向格子線n0、n6を除き、左右より交互に谷折り１６・山折り１５とする。
そして、行方向格子線ｍは、輪郭線となる最外側の行方向格子線m0、m6及び最外側列上の行方向格子線m1〜m5を除き、交互に可逆折り１７・スリット１８とする。
加えて、最外側列上にある行方向格子線ｍに於いて、可逆折り１７の延長上にある行方向格子線ｍは谷折り１６とすると共に、スリット１８の延長上にある行方向格子線ｍは山折り１５とする。
それから、複数の列方向谷折り１６を合わせるように綴じて形成される。
すなわち、図１４に示す折り畳み文書は、前記実施例１の折り畳み文書を９０度回転せしめたような状態となるように構成したものである。
【００３９】
更に、図１３は、可逆折り１７部分の具体的な実施例を示すもので、図１３の（イ）、（ロ）は、可逆折り１７部分を、並設状に接近した山折り線１５ａと谷折り線１６ａで構成したもので、これは、２枚重ねに設定されている可逆折り１７部分を山折り１５から谷折り１６に、或いは谷折り１６から山折り１５にスムーズに反転させられるようにしたものである。
また、図１３の（ハ）は、可逆折り１７部分を、並設状に接近した山折り線１５ａと谷折り線１６ａで構成したものであるが、その山折り線１５ａ、谷折り線１６ａの角度を大きく設定したものである。
更に、図１３の（ニ）は、可逆折り１７部分を、並設状に接近した山折り線１５ａと谷折り線１６ａと山折り線１５ａで構成したものである。尚、これは並設状に接近した谷折り線１６ａと山折り線１５ａと谷折り線１６ａで構成したものであっても良い（図示せず）。
そして、図１３の（ホ）は、可逆折り１７部分を、背合わせ状に重合する部分｛例えば、最小ページ（２、３）、（２、４）の連設部分と、最小ページ（３、３）、（３、４）の連設部分や、最小ページ（４、３）、（４、４）の連設部分と、最小ページ（５、３）、（５、４）の連設部分｝に於いて、一方をスリット線１８ａとし、他方を可逆折り線１７ａとしたものである。
尚、前記山折り線１５ａと谷折り線１６ａは、これらが重なった時に、嵩張らないように配置されるのが望ましい。
【００４０】
ところで、２枚重ねとなって剛性が増す可逆折り１７部分の反転操作には、折り目及びその近傍の歪みエネルギーによって、抵抗があり、歪みエネルギーのピークを越えることで、夫々が安定な二つの見開き間のページをスナップ的にめくることができるようになる。しかも、歪エネルギーのピークは、夫々の見開き状態の安定性に寄与するため、適当に低いレベルに設計される必要があり、可逆折り１７部分を前記のように構成することで、可逆折り１７を介して連設されている一対の区分最小ページ１０をよりめくり易くし、より快適なアクセス機能と、より安定した保持機能とが得られるようにしている。
また、可逆折り１７部分に、例えば、部分的にスリットを入れるようにして、可逆折り１７部分の反転抵抗を下げられるようにしても良い。
【００４１】
尚、折り畳み文書の具体的構成、形状、寸法、材質、原図Ａの具体的構成、形状、寸法、材質、行方向格子線ｍ、m0、m1、m2、m3、m4、m5、m6の具体的構成、数、配設位置、列方向格子線ｎ、n0、n1、n2、n3、n4、n5、n6の具体的構成、数、配設位置、行Ｍ、M1、M2、M3、M4、M5、M6の具体的寸法、数、列Ｎ、N1、N2、N3、N4、N5、N6の具体的寸法、数、区分最小ページ１０の具体的寸法、数、配設状態、糊１１の具体的構成、材質、表紙１２の具体的構成、形状、寸法、材質、数、配設位置、原図Ａへの具体的固着手段、山折り１５の具体的構成、形状、寸法、山折り線１５ａの具体的形状、寸法、配設位置、谷折り１６の具体的構成、形状、寸法、谷折り線１６ａの具体的形状、寸法、配設位置、可逆折り１７の具体的構成、形状、寸法、可逆折り線１７ａの具体的形状、寸法、配設位置、スリット１８の具体的構成、形状、寸法、スリット線１８ａの具体的形状、寸法、配設位置等は、図示例のもの等に限定されることなく、適宜自由に設定、変更できるものである。
【００４２】
本発明の折り畳み文書は前述の如く構成されており、次に、折り畳み文書の製造方法についてその実施例を説明する。
【００４３】
先ず、折り畳み文書となる適宜原図Ａに、複数の行方向格子線ｍを設けて、原図Ａを帯状の横方向領域となる偶数個の行Ｍに分割する。
更に、行方向格子線ｍに直交する複数の列方向格子線ｎを設けて、原図Ａを帯状の縦方向領域となる任意数の列Ｎに分割して、複数の区分最小ページ１０を形成する。
そして、行方向格子線ｍは上部より交互に谷折り１６・山折り１５として、原図Ａを列方向で経文折りする。
それから、列方向格子線ｎは最外側行上を除き交互に可逆折り１７・スリット１８とする。
しかも、最外側行上にある列方向格子線ｎに於いて、可逆折り１７の延長上にある列方向格子線ｎを谷折り１６とし、スリット１８の延長上にある列方向格子線ｎを山折り１５として、原図Ａを行方向で経文折りする。
その後、複数の行方向谷折り１６を合わせた折り丁の背を綴じて折り畳み文書を製造する。
【００４４】
ところで、本発明の折り畳み文書の製造方法にあっては、前記各工程の順序を適宜入れ替えて実施することも自由である。
すなわち、原図Ａに複数の行方向格子線ｍを設ける工程、複数の列方向格子線ｎを設ける工程、原図Ａを列方向で経文折りする工程、最外側行上を除き列方向格子線ｎを交互に可逆折り１７・スリット１８とする工程、最外側行上にある列方向格子線ｎに於いて、可逆折り１７の延長上にある列方向格子線ｎを谷折り１６とし、スリット１８の延長上にある列方向格子線ｎを山折り１５とする工程、原図Ａを行方向で経文折りする工程、複数の行方向谷折り１６を合わせた折り丁の背を綴じる工程夫々の順序は、変更可能となっている。
【図面の簡単な説明】
【００４５】
【図１】本発明の折り畳み文書の原図を例示する平面図である。
【図２】本発明の折り畳み文書の格子線上に加える加工様式を示す記号である。
【図３】図１の原図に図２の加工様式を施した状態を示す平面図である。
【図４】図１の原図が上下方向に折り畳まれる状態を示すもので、（イ）は正面図、（ロ）は側面図である。
【図５】図４から更に折り畳まれた状態を示すもので、（イ）は正面図、（ロ）は側面図である。
【図６】上下方向の折り畳みが完全に終了して、折り丁の背が相互に接合された状態を示すもので、（イ）は正面図、（ロ）は側面図である。
【図７】図６から、再び拡げられる状態を示すもので、（イ）は正面図、（ロ）は側面図である。
【図８】図７の状態から完全に拡げられた状態を示すもので、（イ）は正面図、（ロ）は側面図である。
【図９】図８の状態から、横方向に経文折り状に折り畳んだ状態を示すもので、（イ）は正面図、（ロ）は側面図、（ハ）は平面図である。
【図１０】折り畳み文書を、見開きの状態で示した斜視図である。
【図１１】折り畳み文書の見開き状態の力学的性質を説明するための斜視図である。
【図１２】直交する折り目構造の、可能な変型を説明するための斜視図である。
【図１３】可逆折り部分の実施例を示すもので、（イ）は正面図で、（ロ）は底面図で、（ハ）と（ニ）は夫々他の実施例の底面図で、（ホ）は他の実施例の正面図である。
【図１４】本発明の他の実施例に於ける原図に加工様式を施した状態を示す平面図である。
【符号の説明】
【００４６】
Ａ              原図
ｍ、m0〜m6      行方向格子線
ｎ、n0〜n6      列方向格子線
Ｍ、M1〜M6      行
Ｎ、N1〜N6      列
１０            区分最小ページ
１１            糊
１２            表紙
１５            山折り
１５ａ          山折り線
１６            谷折り
１６ａ          谷折り線
１７            可逆折り
１７ａ          可逆折り線
１８            スリット
１８ａ          スリット線
ｐ、ｑ、ｒ、ｓ  折り目
【図１】
2006007610.tif 000003
【図２】
2006007610.tif 000004
【図３】
2006007610.tif 000005
【図４】
2006007610.tif 000006
【図５】
2006007610.tif 000007
【図６】
2006007610.tif 000008
【図７】
2006007610.tif 000009
【図８】
2006007610.tif 000010
【図９】
2006007610.tif 000011
【図１０】
2006007610.tif 000012
【図１１】
2006007610.tif 000013
【図１２】
2006007610.tif 000014
【図１３】
2006007610.tif 000015
【図１４】
2006007610.tif 000016